(57)【特許請求の範囲】
【請求項１】
取付板と支持板からなる縦長の基枠の支持板の上部と下部に鉤部材の枢支部が設けられ、該枢支部に鉤部材が傾動可能に枢支され、上部と下部の該鉤部材を連結する摺動杆が該支持板に沿って摺動可能に配設され、該基枠の取付板にシリンダ錠がその錠軸を内側に差込むように固定され、該錠軸の先端に前記摺動杆と係合するカム板が固定され、前記基枠の取付板が遊技機の前面枠に縦に取付けられ、遊技機の本体枠側に取付けられた受け金具に前記鉤部材が係止されて該前面枠を施錠する遊技機用施錠装置において、
前記基枠の支持板の枢支部が、該基枠の支持板と取付板の角部近傍を打ち抜いて開口部を形成すると共に該支持板との間の連接部を内側に押し出すことによって、該支持板の内側に変位して形成され、該枢支部に枢支された前記鉤部材の末端部が、該枢支部の表面と該取付板の開口部の側縁との間で、摺動可能に支持される構造としたことを特徴とする遊技機用施錠装置。
【請求項２】
ガラス枠鉤部を上部、中間部及び下部の３箇所に突設したガラス枠施錠杆が、前記基枠内の取付板に沿って摺動可能に、且つ該ガラス枠鉤部を取付板から前方に突出させた状態で配設され、該ガラス枠施錠杆の一部に前記カム板が係合可能な係合部が設けられ、遊技機のガラス枠の内側に設けた係止部に該３箇所のガラス枠鉤部が係止されて該ガラス枠が施錠される構造とした請求項1記載の遊技機用施錠装置。
【発明の詳細な説明】
【０００１】
【発明の属する技術分野】
本発明は、パチンコ機、スロットマシンなどの遊技機の前面枠（前扉）を本体枠に対し施錠すると共に、前面枠内に開閉可能に取付けられたガラス枠を、前面枠に対し施錠する遊技機用施錠装置に関する。
【０００２】
【従来の技術】
遊技機の前面枠（前扉）を本体枠に対し施錠する施錠装置として、略断面Ｌ字状の取付板と支持板からなる基枠の内側に、摺動杆が摺動可能に配設され、支持板の上部と下部に鉤部材が摺動杆に連結されて傾動可能に枢支され、取付板の中間部にシリンダ錠がその錠軸を取付板に設けた孔から内側に差込むように固定され、錠軸の先端に摺動杆と係合するカム板が固定されてなる施錠装置が、一般に使用されている（例えば、実公昭５８−４１９９８号公報等参照）。
【０００３】
【発明が解決しようとする課題】
この種の施錠装置は、遊技機の前面枠の自由端の内側に、その鉤部材を本体枠側に向けて縦に固定され、本体枠の内側には、上下の鉤部材に対向する位置に、受け金具が固定され、前面枠を閉じたとき、それらの鉤部材が受け金具に係止されて、施錠されるが、受け金具の固定位置（本体枠の側壁の内側からの距離）がある程度限定されるため、その位置に鉤部材を位置させようとすると、施錠装置全体の位置を動かす必要が生じ、施錠装置の位置はそこに固定されたシリンダ錠の位置によって、制限されてしまう。
【０００４】
このため、従来の施錠装置のように、基枠の支持板にそのままの状態で枢支部を形成したのでは、枢支部に枢支される鉤部材の位置を自由に設計することができず、基枠におけるシリンダ錠の位置を、基枠の取付板の形状を無理に変形させて変えるという設計変更が必要となり、鉤部材の位置についての設計の自由度が少なく制限されるという問題があった。
【０００５】
本発明は、上記の課題を解決するためになされたもので、鉤部材の位置の設計の自由度が向上し、鉤部材をガタつかせずに、スムーズに動かして施錠・解錠を円滑に行なうことができる遊技機用施錠装置を提供することを目的とする。
【０００６】
【課題を解決するための手段】
上記の目的を達成するために、本発明の施錠装置は、取付板と支持板からなる縦長の基枠の支持板の上部と下部に鉤部材の枢支部が設けられ、枢支部に鉤部材が傾動可能に枢支され、上部と下部の鉤部材を連結する摺動杆が支持板に沿って摺動可能に配設され、基枠の取付板にシリンダ錠がその錠軸を内側に差込むように固定され、錠軸の先端に摺動杆と係合するカム板が固定され、基枠の取付板が遊技機の前面枠に縦に取付けられ、遊技機の本体枠側に取付けられた受け金具に鉤部材が係止されて前面枠を施錠する遊技機用施錠装置において、基枠の支持板の枢支部が、基枠の支持板と取付板の角部近傍を打ち抜いて開口部を形成すると共に支持板との連接部を内側に押し出すことによって、支持板の内側に変位して形成され、枢支部に枢支された鉤部材の末端部が枢支部の表面と取付板の開口部の側縁との間で、摺動可能に支持される構造としたことを特徴とする。
【０００７】
ここで、上記構成の施錠装置において、ガラス枠鉤部を上部、中間部及び下部の３箇所に突設したガラス枠施錠杆が、基枠内の取付板に沿って摺動可能に、且つガラス枠鉤部を取付板から前方に突出させた状態で配設され、ガラス枠施錠杆の一部にカム板が係合可能な係合部が設けられ、遊技機のガラス枠の内側に設けた係止部に３箇所のガラス枠鉤部が係止されてガラス枠が施錠される構造とすることができる。
【０００８】
【作用】
上記構成の遊技機用施錠装置は、基枠の支持板の枢支部が、基枠の支持板と取付板の角部近傍を打ち抜いて開口部を形成すると共に支持板との連接部を内側に押し出すことによって、支持板の内側に変位して形成されるから、鉤部材が支持される枢支部は、基枠の内側の任意の位置に簡単に形成することができ、鉤部材の位置を本体枠側の所定位置に固定される受け金具の位置に合わせて、自由に設計することができる。また、枢支部に枢支された鉤部材の末端部が枢支部の表面と取付板の開口部の側縁との間で、摺動可能に支持されるから、鉤部材の傾動をガタツキなく支持して、円滑に施錠・解錠を行うことができる。
【０００９】
この遊技機用施錠装置は、遊技機の前面枠を本体枠に対し閉じると、施錠装置の上下の鉤部材が本体枠側の受け金具に当って傾動しながら係止され、施錠状態となる。
【００１０】
それを解錠する場合は、キーによってシリンダ錠を回し、カム板を回転させると、カム板が摺動杆と係合してこれを摺動させ、上下の鉤部材が枢軸を支点に傾動することによって、本体枠の受け金具との係合が外れ、前面枠は開放可能な状態となる。
【００１１】
一方、前面枠内のガラス枠を前面枠に対し閉じると、ガラス枠の係止部が前面枠側に取り付けた施錠装置のガラス枠鉤部の傾斜面に当り、ガラス枠鉤部がガラス枠施錠杆と共に摺動しながら、再び元の位置に戻ることにより、係止部にガラス枠鉤部が係止され、ガラス枠は施錠状態となる。
【００１２】
ガラス枠を解錠する場合は、シリンダ錠のキーを逆方向に回して、カム板を同方向に回動させる。このとき、カム板の係合凸部がガラス枠施錠杆の係合部と係合してこれを摺動させる。このガラス枠施錠杆の摺動によって、ガラス枠鉤部と係止部との係合が外れ、ガラス枠は解錠される。
【００１３】
【発明の実施の形態】
以下、本発明の実施例を図面に基づいて説明する。図１は施錠装置の正面図を、図２はその左側面図を、図３はその右側面図を、図４はその背面図を各々示している。１は取付板２と支持板３を略直角に曲折して一体成形してなる縦長の基枠で、取付板２には複数の取付孔が穿設される。
【００１４】
支持板３の上部と下部には、鉤部材４，５を枢支するための枢支部３１，３２が、基枠１の支持板３と取付板２の角部近傍を、プレス加工により略コ字状に打ち抜いて開口部３１ｂ、３２ｂを形成すると共に支持板３との連接部３１ａ、３２ａを内側に押し出すことによって、支持板３の内側に変位して形成される。
【００１５】
すなわち、開口部３１ｂ、３２ｂは支持板３と取付板２の角部からその両側にかけて略コ字状に打ち抜いて形成され、その開口部３１ｂ、３２ｂを打ち抜くことによって、両側に生じた連接部３１ａ、３２ａを介して、枢支部３１，３２は支持板３の一部に形成される。この枢支部３１，３２は連接部３１ａ，３２ａを介して支持板３に保持され、連接部３１ａ，３２ａが基枠１の内側に斜めに曲げられることにより、枢支部３１，３２の位置は、支持板３の位置より内側に変位して配設される。その枢支部３１，３２の内側への変位位置つまり支持板３からの距離は、プレス加工時の連接部３１ａ，３２ａの長さと曲げ角度により、枢支部３１，３２の位置を自由に設定することができる。すなわち、図８（ａ）（ｂ）に示すように、枢支部３１，３２の連接部３１ａ，３２ａの角度αや長さｈを変えることにより、枢支部３１，３２の位置（支持板３からの距離Ａ，Ｂ）を自由に設定することができる。
【００１６】
上部と下部の枢支部３１，３２には、鉤部材４、５が枢軸（頭付ピン）４ａ，５ａによって、傾動つまり一定の角度範囲で回動するように枢支される。すなわち、図６、図７に示すように、鉤部材４，５は枢軸４ａ，５ａによって傾動可能に枢支されるが、このとき、鉤部材４，５の末端部は、取付板２に設けた開口部３１ｂの側縁と枢支部３１，３２の表面との間で、摺動可能にガイドされるように取り付けられている。
【００１７】
さらに、摺動杆６が鉤部材４と鉤部材５間に連結ピン６ｃを介して連結される。摺動杆６の上端は鉤部材４の末端寄りに連結され、摺動杆６の下端は鉤部材５の末端寄りに連結ピン６ｃを介して連結される。鉤部材４、５は三角形頭部を有しその中間部に係合凹部を上側に向けて有している。
【００１８】
摺動杆６は支持板３の内側に沿って所定の範囲で摺動可能に配設されるが、摺動杆６の下部寄りには長孔６ｂが形成され、その長孔６ｂに頭付ガイドピン１９ａが通され支持板３に固定され、このガイドピン１９ａによって摺動杆６は上下動をガイドされる。また、摺動杆６の下部に、後述のカム板８の第一係合凸部８ａが係合する係合部６ａが形成される。また、取付板２と摺動杆６の間にコイルばね９ｂが掛けられ、摺動杆６はこのばね９ｂにより常時下方に付勢される。鉤部材４、５を上部と下部に有する摺動杆６は、遊技機の前面枠用の施錠機構を構成する。
【００１９】
取付板２の下部寄りに、シリンダ錠７を取り付けるための異形孔が形成され、シリンダ錠７の元部を基枠１の内側に入れ、そこに固定する。シリンダ錠７は、その元部にフランジ７ａを有し、錠軸を基枠１の内側に挿入するようにして、フランジ７ａを取付板２の内側に固定ねじで固定する。
【００２０】
シリンダ錠７の錠軸には第一係合凸部８ａと第二係合凸部８ｂを持つカム板８が固定される。図４反時計方向にカム板８を回動させた場合、カム板の第一係合凸部８ａは摺動杆６の係合部６ａに係合し、摺動杆６を上方に摺動させ、鉤部材４、５を上方に摺動させる。
【００２１】
さらに、取付板２の内側には長手方向に沿って、縦長のガラス枠施錠杆１０が摺動可能に配設される。ガラス枠施錠杆１０は、図４、図５に示すように、帯状金属の上部、中間部及び下部に、３個のガラス枠鉤部１２、１３、１４を突設し、さらに下部にカム板８の第二係合凸部８ｂと係合可能な係合部１７を設けて形成される。上中下の３個のガラス枠鉤部１２、１３、１４は、略三角形頭部を有して後述のガラス枠に設けた係止部２６、２７、２８に係止可能に形成され、また、ガラス枠施錠杆１０の中間部には手動操作用の操作部１５が突設される。操作部１５は、基枠１の支持板３に形成したから外側に突き出るように配設される。
【００２２】
基枠１の取付板２の上部には、ガラス枠鉤部１２を挿通するためのスリット孔２ａが形成され、そのスリット孔２ａからガラス枠鉤部１２は前方に突出する。また、取付板２の中間部には、ガラス枠鉤部１３を挿通するためのスリット孔２ｂが形成され、そのスリット孔２ｂからガラス枠鉤部１３は前方に突出する。さらに取付板２の下部には、ガラス枠鉤部１４を挿通するためのスリット孔２ｃが形成され、そのスリット孔２ｃからガラス枠鉤部１４は前方に突出する。
【００２３】
さらに、図４、図５に示すように、ガラス枠施錠杆１０には、ガラス枠鉤部１２の近傍に長孔１０ａと１０ｂが長手方向に沿って形成され、ガラス枠鉤部１３の近傍に長孔１０ｃが長手方向に沿って形成され、ガラス枠鉤部１４の近傍に長孔１０ｄ、１０ｅが長手方向に沿って形成され、各々の長孔１０ａ〜１０ｅに頭付ガイドピン１９ｂ〜１９ｆが通され、その先端が取付板２上に固定される。
【００２４】
これにより、ガイド枠施錠杆１０は取付板２上において所定の範囲で上下摺動可能に支持される。ガラス枠施錠杆１０と取付板２の間にコイルばね９ａが掛けられ、さらにガラス枠施錠杆１０と摺動杆６と間にコイルばね９ｃが掛けられ、これにより、ガラス枠施錠杆１０は上方へ付勢される。
【００２５】
このように構成された施錠装置は、図９に示すように、遊技機における例えば合成樹脂製の前面枠２１の内側に、シリンダ錠７の先端を前面に露出させ、鉤部材４、５を遊技機の本体枠２０側に突出した状態で、取付板２を用いて縦に取付けられる。
【００２６】
一方、本体枠２０の内側の鉤部材４、５に対応した上下位置には、受け金具２４、２５が固定される。さらに、遊技機の前面にはガラス枠２２が前面枠２１の開口部にヒンジを介して開閉可能に取付けられ、そのガラス枠２２の自由端部に、且つガラス枠施錠杆１０のガラス枠鉤部１２、１３、１４が係止可能な、係止部２６、２７、２８が取り付けられる。この係止部２６、２７、２８は、ガラス枠鉤部１２、１３、１４が進入可能な凹部の上部に金属板を渡す形態で形成される。
【００２７】
このような遊技機用施錠装置は、遊技機における前面枠２１を本体枠２０に対し閉じると、施錠装置の上下の鉤部材４、５が本体枠２０側の受け金具２４、２５に当って上方に移動し、コイルばね９ｂの付勢力により戻って係止され、施錠状態となる。
【００２８】
それを解錠する場合は、キーによってシリンダ錠７の錠軸を回し、カム板８を図４反時計方向に回転させると、カム板８の第一係合凸部８ａが摺動杆６の係合部６ａと係合してこれを上方へ摺動させ、上下の鉤部材４、５を下に傾動させる。この鉤部材４、５の下側への傾動によって、本体枠の受け金具２４、２５との係合が外れ、前面枠２１は開放可能な状態となる。
【００２９】
一方、前面枠２１内のガラス枠２２を前面枠２１に対し閉じると、図９に示すように、ガラス枠２２の内側に設けた係止部２６、２７、２８が、ガラス枠施錠杆１０のガラス枠鉤部１２、１３、１４の頭部の傾斜面に当り、これをガラス枠施錠杆１０と共に下方に摺動させ、コイルばね９ａ，９ｃの付勢力によりガラス枠施錠杆１０が上方に戻ることにより、係止部２６、２７、２８にガラス枠鉤部１２、１３、１４が係止され、ガラス枠２２は施錠状態となる。
【００３０】
ガラス枠２２を解錠する場合は、シリンダ錠７のキーを逆方向に回して、カム板８を図４時計方向へ回動させると、カム板８の第二係合凸部８ｂがガラス枠施錠杆１０の係合部１７と係合してこれを下方へ摺動させ、上中下のガラス枠鉤部１２、１３、１４を下方へ移動させる。この動作によって、ガラス枠２２のガラス枠鉤部１２、１３、１４と係止部２６、２７、２８の係合が外れ、ガラス枠２２は開放される。
【００３１】
【発明の効果】
以上説明したように、本発明の遊技機用施錠装置によれば、基枠の支持板の枢支部が、基枠の支持板と取付板の角部近傍を打ち抜いて開口部を形成すると共に支持板との連接部を内側に押し出すことによって、支持板の内側に変位して形成されるから、鉤部材が支持される枢支部は、基枠の内側の任意の位置に簡単に形成することができ、鉤部材の位置を本体枠側の所定位置に固定される受け金具の位置に合わせて、自由に設計することができる。また、枢支部に枢支された鉤部材の末端部が枢支部の表面と取付板の開口部の側縁との間で、摺動可能に支持されるから、鉤部材の傾動をガタツキなく支持して、円滑に施錠・解錠を行うことができる。
【図面の簡単な説明】
【図１】本発明の一実施形態を示す施錠装置の正面図である。
【図２】その左側面図である。
【図３】その右側面図である。
【図４】その背面図である。
【図５】施錠装置の分解側面図である。
【図６】鉤部材４周辺の分解斜視図である。
【図７】鉤部材４周辺の部分斜視図である。
【図８】（ａ）（ｂ）は枢支部３１，３２の詳細説明図である。
【図９】使用状態を示す施錠装置の右側面図である。
【符号の説明】
１−基枠
２−取付板
３−支持板
４、５−鉤部材
６−摺動杆
７−シリンダ錠
８−カム板
１０−ガラス枠施錠杆
１２、１３、１４−ガラス枠鉤部
３１、３２−枢支部
３１ａ，３２ａ−連接部
３１ｂ，３２ｂ−開口部
【図１】
0004094298.tif 000002
【図２】
0004094298.tif 000003
【図３】
0004094298.tif 000004
【図４】
0004094298.tif 000005
【図５】
0004094298.tif 000006
【図６】
0004094298.tif 000007
【図７】
0004094298.tif 000008
【図８】
0004094298.tif 000009
【図９】
0004094298.tif 000010